(57)【要約】  ロール状材料など、物の持ち上げを容易にするための調節可能な搬送ストラップ及びハンドル。搬送ストラップ及びハンドルは、細長く実質的に平面なストラップ（１１０）を有する。結合部（１２０，１５０）がストラップ上に設けられ、被搬送物の周りに環状に巻く際に、搬送ストラップ及びハンドルが、それ自身、第２の搬送ストラップ及びハンドル、又は、別の装置に、取り付けられることを可能にする。ハンドルは最初は搬送ストラップ及びハンドルと同一平面内であるが、ユーザに向上した快適性と安全性を与えるために使用時に実質的に直立な部分に折り重なる。
2006503774.tif 000002
【特許請求の範囲】
【請求項１】
第１の端部と第２の端部と予め選択された幅を有する細長く実質的に平面のプラスチックストラップ部と、
一対のハンドル半分とを有する折り畳み可能なハンドルを有する調節可能な搬送ストラップであって、
前記第２の端部は、縦方向に離間した一以上の雄型結合部を有し、各雄型係合部は前記ストラップ部の第２の端部の対向する横側部から延び、雌型結合部に係合するように構成され、
前記第１の端部は、前記ストラップ部の前記予め選択された幅よりも広い前記雌型結合部で終端し、前記雌型結合部は、前記ストラップ部の前記第２の端部の各雄型結合部を順次受容するように構成された孔を有し、前記結合部の各々は、前記雌型係合部の前記孔に挿入されると、前記第２の結合部の一部に分離可能に係合することができ、
各ハンドル半分は前記ストラップ部の対向する横側部から延び、前記装置の縦方向の軸の周りに互いに実質的に対称に整列され、各ハンドル半分は、前記ストラップ部の前記縦方向の軸に実質的に垂直な２以上の接続部と一の把持部とを有するＵ字形を有し、当該把持部は、前記２つの接続部の間に配置され、前記ストラップ部の前記横端部から横方向に離間し、かつ、前記ストラップ部の前記縦方向の軸に実質的に平行であり、前記ハンドル半分は最初は前記ストラップと同一平面上にあり、前記２つの横方向に対向して対称に整列するハンドル半分は前記ストラップ部用のハンドルを形成するように元の位置で直立する部分に一緒に折り重なるように構成されていることを特徴とする搬送ストラップ。
【請求項２】
前記ハンドル半分は、ユーザの指に快適に適合するように構成された波形輪郭の内端を有する把持部を有し、前記装置がユーザによって持ち上げられると前記波形はユーザの手の周りの前記装置の過剰な滑りを防止することを特徴とする請求項１記載の折り畳み可能なハンドルを有する調節可能な搬送ストラップ。
【請求項３】
前記ストラップ部の第２の端部における各縦方向に離間した結合部は、前記ストラップ部の対向する横端部に一対の横方向に伸びる鉤部を有することを特徴とする請求項１記載の折り畳み可能なハンドルを有する調節可能な搬送ストラップ。
【請求項４】
前記ストラップ部の前記第２の端部において各縦方向に離間した結合部は、前記ストラップ部の対向する横端部上に一対の横方向に延びる矢状ロック部を有することを特徴とする請求項１記載の折り畳み可能なハンドルを有する調節可能な搬送ストラップ。
【請求項５】
前記ストラップ部の前記第２の端部における各結合部は、前記孔の一部と係合するように構成された一対の角度付き切り欠き部を有し、前記角度付き切り欠き部は２つの脚を有し、
第１の脚は前記ストラップ部の縦方向の軸に実質的に垂直であり、
第２の脚は、前記第２の脚の第２の端部が前記第２の脚の第１の端部よりも前記ストラップの前記縦方向の軸に近くなるように、前記ストラップ部の前記縦方向の軸に対して傾斜しており、
前記第１の脚は、持ち上げられる物の周りから折り畳み可能なハンドルを有する前記搬送ストラップの緩みを防止するために、前記ストラップ部の前記第１の端部で前記孔に分離可能に係合することができ、前記第２の脚は、一方向歯止め効果が前記持ち上げられる物の周りに前記ストラップの締結を容易にすることを可能にすることを特徴とする請求項１記載の折り畳み可能なハンドルを有する調節可能な搬送ストラップ。
【請求項６】
前記ストラップ部の前記第２の端部は、前記ストラップ部の前記縦方向の軸に対して傾斜した面内で終端することを特徴とする請求項１記載の折り畳み可能なハンドルを有する調節可能な搬送ストラップ。
【請求項７】
前記ストラップ部の前記第２の端部は、前記ストラップ部の前記縦方向の軸の周りに対称に配置された、少なくとも一対の傾斜部を有する部分において終端することを特徴とする請求項１記載の折り畳み可能なハンドルを有する調節可能な搬送ストラップ。
【請求項８】
前記ストラップ部の前記第２の端部は、前記ストラップ部の前記縦方向の軸に実質的に垂直である面内で終端することを特徴とする請求項１記載の折り畳み可能なハンドルを有する調節可能な搬送ストラップ。
【請求項９】
前記ストラップの前記第２の端部を受容するための、前記ストラップ部の前記第１の端部における前記雌型部の前記孔は実質的にＴ字形状であり、前記ストラップの前記縦方向の軸に実質的に垂直に配置された垂直部と前記ストラップの前記縦方向の軸に実質的に平行に配置された縦部とを有することを特徴とする請求項１記載の折り畳み可能なハンドルを有する調節可能な搬送ストラップ。
【請求項１０】
前記Ｔ字形状の孔の前記垂直部よりも幅の大きな雄型結合部の挿入を容易にするために、前記Ｔ字形状の孔の前記垂直部は前記Ｔ字形状の孔の前記縦部よりも短く、前記雄型結合部のより大きな幅は折り畳み可能なハンドルを有する調節可能な搬送ストラップの前記第１及び第２の端部の相互の固定を補助することを特徴とする請求項９記載の折り畳み可能なハンドルを有する調節可能な搬送ストラップ。
【請求項１１】
前記ストラップ部の前記第１の端部に一対のタブを更に有し、前記タブは、前記孔を突出する前記ストラップ部の前記第２の端部の剰余部を前記ストラップ部の前記第１の端部に固定するように構成され、前記タブは前記ストラップの第１の平面から上に延び、前記タブはそれらの上端に内側に突出する突出部を有することを特徴とする請求項１記載の折り畳み可能なハンドルを有する調節可能な搬送ストラップ。
【請求項１２】
前記ストラップの長さは持ち上げら得る物の外周に基づいて予め選択されていることを特徴とする請求項１記載の折り畳み可能なハンドルを有する調節可能な搬送ストラップ。
【請求項１３】
縦方向に離間した雄型結合部の間の距離は、持ち上げられる物の外周に基づいて予め選択されていることを特徴とする請求項１記載の折り畳み可能なハンドルを有する調節可能な搬送ストラップ。
【請求項１４】
前記縦方向に離間した雄型結合部は、前記ストラップ部の所定の縦部を中心として複数配置され、各所定の縦部は持ち上げられる物の外周に対応することを特徴とする請求項１記載の折り畳み可能なハンドルを有する調節可能な搬送ストラップ。
【請求項１５】
前記ハンドルは前記装置の前記第１の端部近傍において前記ストラップ部に配置されることを特徴とする請求項１記載の折り畳み可能なハンドルを有する調節可能な搬送ストラップ。
【請求項１６】
前記ハンドルは不使用時に前記ストラップ部の面に自動的に平坦に折り重なることを特徴とする請求項１記載の折り畳み可能なハンドルを有する調節可能な搬送ストラップ。
【請求項１７】
前記ストラップ部の少なくとも一の横端部と前記ハンドルの少なくとも一の接続部との間に添付及び配置された少なくとも一のガセットを有することを特徴とする請求項１記載の折り畳み可能なハンドルを有する調節可能な搬送ストラップ。
【請求項１８】
前記折り畳み可能なハンドルを有する調節可能な搬送ストラップは、物の搬送を容易にするために前記物に添付されることを特徴とする請求項１記載の折り畳み可能なハンドルを有する調節可能な搬送ストラップ。
【請求項１９】
前記物はロール状の編まれたプラスチック網であることを特徴とする請求項１７記載の折り畳み可能なハンドルを有する調節可能な搬送ストラップ。
【発明の詳細な説明】
【技術分野】
【０００１】
本発明は、ストラップが閉ループを形成するように互いに固定可能である雌型及び雄型端部ロック部と、そのループ内に置かれた物の手による持ち上げ及び搬送を容易にするように一以上のハンドルを形成するように手で本来の場所で結合可能なハンドル部とを有するストラップに関する。
【背景技術】
【０００２】
大型で時には扱いにくい物の手による持ち上げを、かかる仕事を行う（クレーンやフォークリフトなどの）機械なしに、行うことが多くの場合に必要となる。また、幾つかの物は、重く扱いにくいが、（フォークリフトなどの）機械の使用を正当化するには小さすぎるかもしれないし、機械がアクセス可能な領域まで移動されなければならないため、一般に作業者による手作業に任されている。
【０００３】
例えば、農場の場合、多くの仕事が少なくとも部分的に自動化可能であるが、物を乗り物から倉庫施設まで又はこれと逆に移動するなど、多くの手作業は依然として一般に必要である。かかる環境で典型的に使用可能な幾つかの物（例えば、バケツ）は、物の手作業を容易にするための様々な種類の一体的なハンドルを有する。しかし、農業又は工業の場合における多くの作業は、塊状材料を、少数の例を挙げれば、箱、大袋又はロール又はシリンダの形態で、取り扱うことを必要とする場合がある。このような塊状材料は直ちに扱いにくくなるため、労働者にとって作業がより困難で危険になる。大袋又はロール状材料を取り上げるために地面の高さまで屈むことは、殆ど間違いなく、背中や身体のその他の部分を傷める危険が増す場所に作業者を置く。かかる仕事の困難、快適及び安全レベルを改善する手段が望ましい。
【０００４】
物を搬送及び／又は束ねる幾つかの装置が知られている。コッチャーノらへの米国特許第５，６９５，２３４号は、「ループ形成部材」（１０）とストラップ部の縦方向の端部に配置された把持部（２２及び２２’）を有する２つのハンドル（１２、１４）からなる買い物袋用搬送装置を記載している。２つのハンドルは突起１８と受け口２４を介して互いに係合するか（図３）、ハンドルが物の周りに輪縄を形成するように穴に挿入される（図１０及び１１）。コッチャーノが記載しているハンドルは使用前に予め形成される。
【０００５】
エングルへの米国特許第３，４９３，１５４号は、比較的幅広であるが一の材料から製造される弾力性のある荷物搬送ストラップを記載している。エングルのストラップには、ストラップの縦方向の端部に予め形成された一のハンドルがある。ハンドル端部が適合する一端にある多数のスロットが調節可能性を付与する。
【０００６】
ファーンワースへの米国特許第４，５５８，８９６号は、Ｔバー（２６）を受容する開口スロット（２８）を有し、荷に付着するハンドルを記載している。スロット（２４）は使用の際にストラップ部（１２）が屈曲することを許容するように設けられる（図４）。ファーンワースのハンドル部は予め形成され、ストラップの縦方向の端部に配置され、折り曲がらない。
【０００７】
ハウルバーグへの米国特許第４，５１４，８７６号は、バック搬送バー（１ａ、１ｂ）に取り付けられた２つのハンドル部（３、４）を有する射出成形バッククロージャーを記載している。ハウルバーグのハンドルはフックと肩状部（６，７）により一緒にロックし（図３）、これにより、（バック搬送バー（１ａ、１ｂ）に既に取り付けられている）バックの開口を密閉する。ハウルバーグのハンドルの幅はバックの開口全体とほぼ同じくらい広い。
【０００８】
カーらへの米国特許第５，７３５，０１９号は、バッグハンドルが横たわるつり索部（１０）を有し、ユーザによる（上記のコッチャーノなどの）バックの搬送を補助する補助ハンドルを記載している。ハンドル切り欠き（１７）は、つり索（１０）の縦方向の端部に形成されている。グリップ（４０）は装置の使用をより快適にしたり、つり索（１０）の２つの端部を一緒に保持したりするのに使用される。
【０００９】
クナドソンへの米国特許第５，７１５，５７８号は、ループ（５）の一端に配置されたバー状のハンドル（３）と輪ゴムループ（５）を有する束紐を記載している。クナドソンのハンドルは剛性バーであり、クナドソンの装置はループ（５）を介してハンドル（３）を輪で取り巻くことによって縛る。
【００１０】
ランスフォードへの米国特許第５，００５，８９１号は、カーとコッチャーノに類似した目的を有する袋ハンドル装置を記載している。ランスフォードの装置は、ユーザの手を横切る荷重を分配する比較的広いシート（２２）を有する。袋のハンドルはシート中央部に配置され、シートは袋ハンドルの周りに包まれる。装置全体はクッションのように動作し、別個のハンドルは有しない。
【００１１】
ライアンへの米国特許第５，０９６，２４８号は、他の特徴と共にストラップ部（１１）と把持部（８）を有する包みハンドルを記載している。ハンドルは、装置がそれ自身の周り及び間で輪にすることによってそれ自身に取り付けられる点で、（上述の）クナドソンの包み紐のように使用される（図４）。ユーザは、ライアンの包みハンドルの縦方向の端部に配置された予め形成されたスロット（１７）に手を挿入することによって装置を持ち上げる。
【００１２】
シャドアンへの米国特許第４，６９６，５０５号は、手搬送物用のハンドル及びストラップ装置を記載している。シャドアンは、様々な大きさと形状の物の周りに巻かれることが可能なストラップ部を有する。シャドアンのストラップ部は剛性ハンドル部とは別個なものであり、内部の開口（３４、３６）を通じて巻くことによってストラップ部の端部に配置される剛性ハンドル（１０）に接続する。
【００１３】
サスマンらへの米国特許第６，０６２，６２２号は、被搬送袋ハンドルの周りにループを形成するストラップからなる袋用ハンドル締め具を記載し、ストラップはユーザによって保持される場所に幅広で一列に並んだハンドル領域（２０）を有し、ハンドル領域は使用前に予め形成される。
【００１４】
サトウへの米国特許第１，８２９，６１３号は、特に紙などの積層材料を留める留め具を記載している。サトウの留め具は、単一の雄型部を有する細長い本体と雄型部を受容する一連の横スロットを有する係合頭部を含む。これらの多数のスロットは、止め具の長さが適当な大きさに調節されることを可能にする。サトウは可鍛金属を彼の止め具に使用することを示唆している。
【００１５】
リーへの米国特許第３，９１３，１７９号は、Ｔスロット４４、４６及び４８を組み込む複数のスロットとタブを有し、ハンドルなしの紐ストラップを記載しているのみである。
【００１６】
ギブソンズへの米国特許第４８７，１４５は、ストラップ（ｆ）、末端Ｔ頭部（ｋ）、及び、ストラップ（ｆ）の長さの増減する直線スロット（ｌ）を有する馬用端綱を記載している。
【００１７】
テイラーへの米国意匠特許第２５２，７４１号は、複数の直線の縦方向の穴と２つの同一角度の端部を有するように見える、ハンドルのない紐ストラップを示す米国意匠特許である。必要があれば縦方向の穴に端部を添付するのに２つの可能な方法があるように思える。より小さい最末端突出部は、鉤部として動作してその部分を一緒にロックする三角部よりも容易に除去される一時固定手段として動作する。
【００１８】
単なるプラスチックロールでさえ１００ｌｂｓ強の重さを有するので、多くの人は、ロール状材料などの大型の物を扱う単純で安価な方法を必要とする。従って、ロール状材料その他の物の処理を容易にし、ロール状材料その他の物に含まれるのに十分に小型及び安価な装置の需要がある。
【発明の開示】
【課題を解決するための手段】
【００１９】
本発明は、ロール状材料など、物の持ち上げを容易にする調節可能な搬送ストラップ及びハンドルに関する。また、本発明は、材料を束ねることを容易にする。搬送ストラップ及びハンドルは、一以上の縦方向に離間した結合部を含む第１及び第２の端部を有する細長く実質的に平面なストラップを含む。幾つかの実施例においては、各結合部は、ストラップの第２の端部の対向する横側部から延び、第１の端部は、ストラップ部の第２の端部のロック部を順次受容するように構成された孔を有する雌型部において終端する。これらの実施例においては、結合部の各々は、孔に挿入されと、孔の近傍で雌型部の一部に分離可能に係合することができる。
【００２０】
また、搬送ストラップ及びハンドルは、一対の横方向に突出するハンドル半分を含む。実施例に依存して、各ハンドル半分はストラップの対向する横側部から延び、装置の縦方向の軸の周りに互いに実質的に対称である。各ハンドル半分は、ストラップの縦方向の軸に実質的に垂直な２以上の接続部と２つの接続部の間に配置された一の把持部とを有するＵ字形状を有する。把持部は、ストラップの横端部から横方向に離間されている。この位置決めは、手がハンドルに適合して把持するのに十分大きな空間を形成する。ハンドル半分は最初はストラップと同一平面にあり、２つの横方向に対向するハンドル半分はストラップ用ハンドルを形成するために直立部に元の位置で一緒に折り曲がるように構成されている。
【００２１】
本搬送ストラップ及びハンドルを使用する長所は、ユーザとしては、被搬送物の増加した容易性、快適性、安定性及び安全性である。被搬送物がハンドルを通常含まなければ、それは本搬送ストラップ及びハンドルの使用を通じて被搬送物に容易に添付可能である。よって、結果として典型的に扱いにくく、ユーザの典型的な腕の長さよりも長い幅を有するロール状の編まれた網やフィルムなどの被搬送物は扱いやすくなる。よって、ユーザは、身体を怪我しやすい位置に置く必要性が減少したことが分かるであろう。これは、しばしば手で扱われる物の重量を特に考慮すると、重要である。ロール状材料、圧縮ガスのシリンダ、大袋、枠組木箱、箱、管、パイプ、束及び個々の品物（例えば、丸太）を取り扱うユーザは、本搬送ストラップ及びハンドルから全て利益を得ることができる。
【００２２】
本発明の更なる特徴及び実施例は、図面を参照して、以下に詳細に説明される。
【図面の簡単な説明】
【００２３】
【図１】本発明の第１の実施例の上面図である。
【図２】本発明の第２の実施例の上面図である。
【図３】本発明の第２の実施例の斜視図である。
【図４】図４Ａは、本発明の実施例の部分拡大図である。図４Ｂは、本発明の実施例の端面図である。
【図５】本発明の一実施例のハンドルの一部の側面図である。
【図６】図６Ａ乃至６Ｅは、本発明による搬送ストラップの第２の端部における結合部の様々な実施例を示す。
【図７】図７Ａ乃至図７Ｃは、本発明による搬送ストラップの第２の端部における結合部の様々な実施例を示す。
【図８】図８Ａ乃至図８Ｃは、本発明によるストラップ部の第２の端部の様々な実施例を示す。
【発明を実施するための最良の形態】
【００２４】
図１は、本発明の一実施例の上面図を示す。実施例に依存して、本搬送ストラップ１００は、ロール状の材料を持ち上げたり、（例えば、スティックなどの）物を束ねて持ち上げたり、箱やその他の多くの種類の物を持ち上げたりするのに使用可能である。
【００２５】
調節可能な搬送ストラップ及びハンドル１００は、細長く実質的に平面なストラップ部１１０を有する。ある実施例においては、第２の端部は一以上の縦方向に離間した雄型結合領域１２０を有し、各結合部がストラップ部１１０の第２の端部の対向する横側面１１１から延びている。本実施例では、第１の端部は、ストラップの第２の端部における雄型結合領域１２０を順次受容するように構成された孔１３０を有する雌型部１５０にある。結合部１２５の各々は、孔１３０に挿入される際に、雌型部１５０の一部に分離可能に係合することができる。
【００２６】
図１及び図４の実施例に示すように、ストラップ部１１０の第１の端部にある、ストラップ部１１０の第２の端部を受容するための孔１３０はＴ字形状を有し、ストラップ部１１０の縦方向の軸に実質的に垂直に配置された垂直部１３１とストラップ部１１０の縦方向の軸に実質的に平行に配置された縦部１３５とを含む。本実施例では、Ｔ字形状の孔１３０の垂直部１３１は、Ｔ字孔１３０の垂直部よりも大きな幅を有する結合領域１２０の挿入を容易にするために、Ｔ字形状の孔の縦部よりも短い。この場合、結合部１２５のより大きな幅は、搬送ストラップ及びハンドル１００の第１及び第２の端部を更に互いに固定する。Ｔ字形状の孔１３０は、縦部１３５に平行に垂直部１３１の端部に配置される尾部１３３を更に有してもよい。これらの尾部１３３は、孔１３０を部分的に覆い隠すことによって依然として後退に抵抗を与えるが、一端に沿ってストラップ部１１０に接続されるのみであるので、挿入の容易性を増加するタブ１３７を形成することによって結合部１２５の挿入を容易にする。
【００２７】
係合する雄型結合領域１２０と雌型結合部１５０は、雄型係合部１２５などの突出部を有し、雄型係合部１２５は雄型係合部１２５が通常ある孔の位置よりも広い幅を有する。よって、雌型部１５０の孔１３０に挿入されると、比較的広い雄型係合部１２５が雄型係合領域１２０と雌型部１５０の分離を防止する。例えば、実質的にＴ字形状の孔１３０と雄型係合部１２５を有する雄型係合領域１２０とを有する実施例においては、取付工程は典型的に以下のようになる。まず、雄型係合領域１２０が孔１３０の縦部１３５に整列するように回転されて孔１３０に挿入される。雄型係合部１２５は、縦部１３５に挿入された状態で、孔１３０の垂直部１３１に整列するように回転される。この位置でストラップが引っ張り状態の場合、雄型係合部１２５の第１の端部は、垂直部１３１側の領域で雌型係合部１５０の面に接する。縦部１３５の長さは垂直部１３１よりも典型的に大きいので、雄型係合部１２０は、この領域に挿入されることがより容易であり、また、一旦十分に挿入されると垂直部１３１から除去することがより困難になる。また、垂直部１３１は、典型的にストラップ部１１０とほぼ同一幅であり、雄型係合部１２５の幅は垂直部１３１のそれよりも大きいので、引き抜き抵抗が達成される。
【００２８】
搬送ストラップとハンドル１００は、搬送ストラップとハンドル１００の一部を切断したり、雄型及び雌型部１２５、１５０を取付と逆の順番で分離したりすることを含む様々な手段によって、被搬送物から除去可能である。
【００２９】
ストラップの第２の端部における雄型結合領域１２０は、代替的実施例においては、ストラップの第１の端部及び／又は雌型部１５０への他の取付手段を有する。この場合、「雄型」と「雌型」の用語の意味は互いに結合される２つの領域を示す。かかる他の取付手段は、締め金具、留め金、フック・ループファスナー、ホッチキス、接着剤又は他の実用的手段を含んでもよい。更に代替的に、第１及び第２の端部の取り付けは、特定の実施例に依存して、例えば、２つの端部を互いに溶接、熱溶接、溶剤溶接又はクリンプすることによるなど、更なる要素なしで達成可能である。
【００３０】
殆どどの実施例においても、搬送ストラップ及びハンドル１００は物の２以上の予め選択された外周に適合するように構成可能である。例えば、製造業者が、１００ヤードや３００ヤードロールなどの異なる量でロール状材料を販売する場合、当然、直径と外周は異なるだろう。本搬送ストラップ及びハンドル１００をこの状況で使用しなければならない場合、搬送ストラップ及びハンドル１００は調節可能でなければならない。この需要が満足可能な一の方法は、搬送ストラップ及びハンドル１００の第２の端部に、一連の雄型結合部１２５又は突出部を含むことである。各雄型結合部１２５は、その点における雄型及び雌型結合部１２５、１５０の結合を許容する。ある直径の持ち上げ対象物は特定の長さのストラップ部１１０を必要とするので、その物が異なる直径を有する２つの物から選択される場合、２つの結合位置のみが必要となり得る。従って、各々がストラップ部１１０の縦方向の軸に関して縦方向に離間した２以上の雄型結合部１２５の組は、搬送ストラップ及びハンドル１１０の第１及び第２の端部が付着する位置（及びストラップの結果としての外周）を決定するのに使用される。これらのタブの位置は、典型的に持ち上げられる物の外周に対応するだろう。
【００３１】
更に、雄型結合部１２５は、２以上の予め選択された縦部の周りに複数配置可能である。即ち、各位置の近傍のたった一対の雄型結合部１２５の代わりに、多数対の雄型結合部１２５が各位置に配置可能である。この実施例では、更なるタブはロール外周の変化を許容する。このため、雄型結合部１２５の全範囲が不要かもしれなければ、不必要な材料費なしで所望の調節レベルは依然として達成される。雄型結合部１２５の異なる配置を説明した上述の例示的実施例の原則は（留め具やフック・ループファスナーなど）搬送ストラップ及びハンドル１００の第１及び第２の端部を互いに固定する代替的手段に適用可能であることが理解されるであろう。
【００３２】
代替的に、２以上の孔１３０は、拡大又は多数の雌型結合部１５０に含まれてもよく、それで調節可能性は維持できる。また更に、搬送ストラップ及びハンドル１００は、それが複数の雄型結合領域１２０と複数の雌型結合部１５０を有するように、構成可能である。従って、調節可能性が達成される特定の手段がユーザによって選択可能であり、必要があれば、２以上の雄型及び雌型結合部１２０、１５０が、安全性の理由から冗長的な接続を与えるため及び／又は複数の接続に亘って一の接続における応力を分配することによって装置の搬送能力を増加するために、同時に利用可能である。
【００３３】
また、搬送ストラップ及びハンドルは、一対の横方向に突出したハンドル半分１４０を有する。各ハンドル半分は、ストラップ１００の対向した横側面１１１から延び、ストラップ１００の縦方向の軸周りに他方に実質的に対称である。ハンドルは、好ましくは使用前及び不使用時には省スペース化のために平坦に横たわり、ストラップ１００自身及び／又はストラップ１００によって保持された物の積層を容易にする。
【００３４】
各ハンドル半分１４０ａ、ｂは、ストラップの縦方向の軸に実質的に垂直である２以上の接続部１４８と、２つの接続部１４８の間に配置された一の把持部１４９を有するＵ字形状を有してもよい。把持部１４９は、ストラップ部１１０の横端部１１１から横方向に離間されている。この位置決めは、手がハンドルに適合及び把持するのに十分大きい空間１４７を形成する。
【００３５】
代替的に、ハンドル半分１４０ａ、ｂは、一の中央に配置された接続部によってストラップに接続されたＴ字形状のハンドル部を有してもよい。この実施例では、ユーザの指は、上述の実施例のように２つの接続部の間ではなく、接続部の両側にある。更に代替的に、ハンドル半分１４０ａ、ｂは、搬送ストラップ及びハンドルと持ち上げられる物をユーザが把持することを可能にするループ、又は、各端部でストラップに付着する一般にアーチ形状のハンドル半分からなる半環部を有してもよい。かかるループと半環部、Ｕ字形及びＴ字形ハンドルは一体的にストラップ自身に形成されてもよいし、後でストラップ部１１０に取り付けられる更なる要素から構成されてもよい。また、ハンドル半分１４０ａ、ｂは、ストラップ部１１０の紐孔を介してストラップ部１１０に取り付けられるロープなどの紐状材料から構成されてもよい。ここには特に記載していないが、もちろんハンドル１４０の他の形状も可能である。
【００３６】
各実施例においては、ハンドル半分１４０ａ、ｂは最初はストラップ部１１０と同一平面にあり、２つの横方向に対向するハンドル半分１４０ａ、ｂはストラップ用のハンドルを形成するように元の位置で互いに直立部に折り重なるように構成されている。Ｕ字形状のハンドル半分の場合、例えば、一以上の折り目５４０（図５）がハンドル半分の直立折り重ねを容易にするように形成されている。また、折り畳みを容易にするように、ストラップの端部１１１とハンドル接続部１４８との間の中間接続部５４３が狭まった厚さを有してもよい。更に、中間接続部５４３は、それが予め選択された点を越えた折り畳みを防止するように整形可能であり、例えば、中間接続部５４３は三角形又は台形側面（図５）を有してもよい。かかる構成は２つの「ヒンジ」をもたらし、接続部５４３の各側部の一つは使用中に隣接面が互いに折り重なって接触することをもたらし、ハンドルが予め決定された位置を越えて折り重なることを防止する干渉をもたらす。
【００３７】
ハンドル半分１４０ａ、ｂはストラップ部１１０の第１の端部付近、ストラップ部１１０の第２の端部付近、又は、ストラップ部１１０の第１及び第２の端部の間の中間位置に配置可能である。
【００３８】
実施例に依存して、ハンドル１４０は、ユーザに快適性と増加した剛性を与えるためにハンドルの一以上の端部の周りにフランジ部４６０を有する。かかるフランジ部４６０は、ハンドルの端部に沿って増加した厚さの狭い帯を典型的に有する。ハンドルの中間部から離間した更なる材料は、曲げ応力とその結果としてのハンドル１４０の変形に抵抗することを補助する。フランジ部４６０は、ハンドルの外郭に沿って及び／又はハンドル１４０の内郭４４０に沿って配置可能である。
【００３９】
搬送ストラップ及びハンドル１００を使用する際に、ユーザは各ハンドル半分１４０ａ、ｂを通常は平坦な位置から起こす。多数の搬送ストラップ及びハンドル１００が使用されると、ユーザは片手に典型的に一対のハンドル半分１４０ａ、ｂを把持して物を持ち上げるだろう。搬送ストラップ及びハンドル１１０が各ハンドル半分１４０ａ、ｂの距離が比較的大きくなるように具体化される場合及び／又は一の搬送ストラップのみが使用される場合、ユーザは片手で一のハンドル半分１４０ａ、ｂを典型的に把持して物を持ち上げるだろう。
【００４０】
幾つかの実施例において、ハンドル１４０の把持部１４９はユーザの指に快適に適合するように構成された波形輪郭の内端４４０を有し、搬送ストラップ及びハンドル１００がユーザによって持ち上げられると波形がユーザの手の周りの装置の過度の滑りを防止する。また、ゴムなどのテクスチャー加工又は簡単に把持される材料から作られる把持面が、ユーザの手の周りのハンドルの不用な動作を減少するために、把持部１４９の面に形成又は取り付けられてもよい。
【００４１】
また、図１乃至４に示すように、装置は、搬送ストラップ及びハンドル１００の第１の端部に一対のタブ４５０を更に有してもよい。タブ４５０は、孔１３０から突出するストラップ１００の第２の端部の剰余部をストラップ１００の表面に固定するように構成される。タブ４５０は、ストラップ１００の第１の平面から上に延びる。また、タブ４５０は、それらの上端に配置されて内側に突出する突出部４５０を有してもよい。
【００４２】
図６Ａ乃至６Ｅは搬送ストラップ１００の第２の端部における結合部の様々な構成を示す。特定の実施例に依存して、ストラップの第２の端部において各々縦方向に離間した結合部は、一対の横方向に延びる鉤部６１０（図６Ａ）又は横方向に延びる矢状ロック部６２０（図６Ｂ）を、孔１３０と係合するために、ストラップの対向する横端部に有してもよい。代替的に、ボス６１５、６１７（図６Ｃ、６Ｄ）は鉤部６１０に置換してもよい。更に代替的に、ストラップの第２の端部における各結合部は、孔１３０の一部に固定可能に係合するように構成された一対の角度付き切り欠き６３０を有してもよい（図６Ｅ）。角度付き切り欠き６３０は２つの脚６３１，６３２を有する。第１の脚６３１は、ストラップ部１１０の縦方向の軸に実質的に垂直である。第２の脚６３２は、第２の脚６３２の末端が第２の脚６３２の第１の端部よりもストラップの縦方向の軸に近くなるように、ストラップ部１１０の縦方向の軸に斜めである。第１の脚６３１は、ストラップ１３０の第１及び第２の端部の緩みを防止するように、ストラップ部１１０の第１の端部において孔１３０に分離可能に係合することができる。第２の脚６３２は、一方向歯止め効果が持ち上げられる物の周りでストラップの締め付けを容易にすることを可能にする。
【００４３】
図７Ａ乃至７Ｃは、留め具７１０ａ、ｂ、フック・ループファスナー７２０ａ、ｂ、ホッチキス又は接着剤を含むことが可能な、搬送ストラップ及びハンドル１００の第１及び第２の端部の代替的取付手段を示している。更に代替的に、第１及び第２の端部の取り付けは、特定の実施例に依存して、例えば、２つの端部を互いに溶接、熱溶接、溶剤溶接又はクリンプすることによるなど、更なる要素なしで達成可能である。
【００４４】
図８Ａ乃至８Ｃは、ストラップ部１１０の第２の端部の様々な実施例を示す。ストラップの第２の端部は、（１）ストラップの縦方向の軸に斜めである面８１０において、（２）少なくとも一の傾斜部８２０を有してストラップの縦方向の軸に関して対称な部分において、又は、（３）ストラップ８３０の縦方向の軸に実質的に垂直である面で終端してもよい。
【００４５】
一般に、ストラップ部１１０の長さは、持ち上げられる物の外周付近に好ましくは予め選択される。代替的に、縦方向に離間した結合部１２５間の距離は、持ち上げられる物の外周に基づいて予め選択可能である。
【００４６】
ハンドル半分１４０ａ、ｂは、装置１００の第１の端部付近でストラップ部１１０上に配置されてもよいし、不使用時にストラップ面に自動的に折り重なってもよい。接合を強化するために、ストラップの少なくとも一の横端部とハンドルの少なくとも一の接続部との間にガセット１４５が添付及び配置されてもよい。
【００４７】
実施例に依存して、本搬送ストラップ１００は単独で又は他の搬送ストラップ１００と共に使用されてもよい。搬送ストラップ１００は、端部と端部で接続されてもよいし、同一物上で平行に使用されてもよい。後の場合において、片手で一の搬送ストラップ１００の一のハンドル１４０を用いて、ユーザが快適に物を持ち上げることができるように、２以上の搬送ストラップ１００が物の長手方向に沿ってユーザの広げた腕にほぼ相当する距離だけ離間されてもよい。代替的に、搬送ストラップ１００は比較的広くてもよいし、搬送ストラップ１００の２つのハンドル半分１４０ａ、ｂの間に幅広部を有してもよい。これは、ハンドル半分１４０ａ、ｂの間に快適な距離を与える。前の適用と同様に、この後の適用は、片手で一のハンドル半分１４０ａ、ｂが把持されることを許容する。
【００４８】
搬送ストラップ及びハンドル１００全体は、単一材料から製造されてもよい。好ましくは、製造材料はプラスチックである。適当なプラスチックは、ナイロンや、ポリエチレン（低密度ポリエチレン（ＬＤＰＥ）、高密度ポリエチレン（ＨＤＰＥ）超低密度ポリエチレン（ＵＬＤＰＥ）、超高分子量ポリエチレン（ＵＨＭＷＰＥ）、架橋ポリエチレン（ＰＥＸ）、ポリエチレンテレフタレート（ＰＥＴ））及びポリプロピレンなどのポリオレフィンを含む。他の好ましいと思われるプラスチックは、ポリエステル、ポリアミド、ポリ塩化ビニル（ＰＶＣ）、ビニルなどである。ポリエチレンとポリプロピレンは特に好ましい。代替的に、搬送ストラップとハンドルの製造材料は、ゴム、金属、紙、ボール紙、混成材料、皮革などの動物製品を含んでもよい。金属は、アルミニウム、銅、鋼、これらの合金、その他の金属を含んでもよい。
【００４９】
更に代替的に、搬送ストラップ及びハンドル１００は、それぞれが異なる材料から製造される複数の要素から製造されてもよい。搬送ストラップ及びハンドル１００がプラスチックから製造される場合、それは、鋳造、成形、例えば、及び／又は、平坦なシート素材からのせん断又はパンチによる整形、その他の適当な手段により形成されてもよい。搬送ストラップ及びハンドル１００が金属から製造される場合、それは、鋳造、打ち抜き、例えば、及び／又は、平坦なシート素材からのせん断又はパンチによる整形がなされてもよい。
【００５０】
ある実施例をここで説明したが、本発明の要旨から逸脱せずに、構造及び動作の些細な変更が可能であることは添付の特許請求の範囲で規定されるように、直ちに明らかであろう。特許請求の範囲で挙げられた各構成要素は全ての均等の構成要素を参照するものとして理解されなければならないことが更に意図されていている。
【図１】
2006503774.tif 000003
【図２】
2006503774.tif 000004
【図３】
2006503774.tif 000005
【図４】
2006503774.tif 000006
【図５】
2006503774.tif 000007
【図６】
2006503774.tif 000008
【図７】
2006503774.tif 000009
【図８】
2006503774.tif 000010
【国際調査報告】
2006503774.tif 000011